(57)【要約】【課題】保護すべき対象物を、少ない薬剤使用で害虫などから長期にわたり効果的に防除することができ、かつ、梱包・搬送・設置のしやすい形状に簡単に加工可能な防虫忌避性樹脂成形体を提供する【解決手段】防虫忌避性樹脂成形体に、略板状の平面部と、該平面部の一端に連続形成された曲げ部分と、該成形体の長手方向に対しほぼ交差する方向に屈曲可能な手段を形成する。該曲げ部分には、該防虫忌避性樹脂成形体の長手方向に対しほぼ交差する方向に１箇所または複数箇所の切り込みを形成する。【選択図】図９
2010013614.tif 000002
【特許請求の範囲】
【請求項１】
小動物や虫などを防除するために、これら小動物や虫などから保護すべき対象物に取り付けられ、樹脂と防虫忌避性を有する薬剤を含有してなる防虫忌避性樹脂成形体であって、該防虫忌避性樹脂成形体は、略板状の平面部と、該平面部の一端に連続形成された曲げ部分と、該防虫忌避性樹脂成形体の長手方向に対しほぼ交差する方向に屈曲可能な手段を備えていることを特徴とする防虫忌避樹脂成形体。
【請求項２】
請求項１に記載の防虫忌避性樹脂成形体であって、上記曲げ部分には、該防虫忌避性樹脂成形体の長手方向に対し略直角方向に１箇所または複数箇所の切り込みが形成されていることを特徴とする防虫忌避性樹脂成形体。
【請求項３】
請求項１ないし２に記載の防虫忌避性樹脂成形体であって、さらに可塑剤、無機充填材、皮膜抑制剤を含有してなる防虫忌避性樹脂成形体。
【請求項４】
請求項１ないし３に記載の防虫忌避性樹脂成形体であって、略板状の平面部と、該平面部の一端に連続形成された曲げ部分を備えており、該曲げ部分は略半円状に弧を描くように湾曲して形成されていることを特徴とした防虫忌避性樹脂成形体。
【請求項５】
請求項１ないし３に記載の防虫忌避性樹脂成形体であって、略板状の平面部と、該平面部の一端に連続形成された曲げ部分を備えており、該曲げ部分は該平面部に対し所望の角度をつけて一ヵ所または複数箇所を屈曲させて形成されていることを特徴とした防虫忌避性樹脂成形体。
【請求項６】
請求項１ないし５に記載の防虫忌避性樹脂成形体であって、略板状の平面部と、該平面部の一端に連続形成された曲げ部分を備えており、該平面部と曲げ部分には１箇所または複数箇所の薄肉部分が形成されていることを特徴とした防虫忌避性樹脂成形体。
【発明の詳細な説明】
【技術分野】
【０００１】  本発明は、例えば建物や各種機器のハウジング、あるいは植物等、様々な対象物に設置して、当該対象物内に小動物や虫が侵入することを防止する、あるいは駆除する、防虫忌避性樹脂成形体に関する。
【背景技術】
【０００２】  従来から、小動物や虫、例えば、ゴキブリ、蟻、クモ、ムカデ、ナメクジなどが、建物や各種機器類などの様々な対象物内に侵入して機器の故障や障害の原因となるため、該対象物への小動物や虫の侵入を防止したいという要望がある。特に、これら機器類には製品寿命の比較的長いものも多いため、できるだけ長期に亘って小動物や虫（以下、本明細書では単に「害虫」と呼ぶ場合がある）の侵入を防止することが望まれている。【０００３】  従来の防虫忌避対策は、前記対象物への害虫の進入口・経路、営巣箇所に薬剤を撒布するといった手法が主流であった。しかし、この方法は薬剤が飛散し周辺環境を汚染する心配があり、また、長期間にわたる場合は、防虫忌避効果が薄れて該対象物への害虫の侵入を許してしまうおそれがある。このため、昨今では単純に薬剤を散布するだけでなく、害虫が進入・営巣し難い形状に該対象物を形成するなどの、環境を改善する方法や、害虫の天敵を配置する等の複数の方法を併用する「総合防除」という考え方が昨今の潮流となってきている。これら複数の防虫忌避効果のある方法を組み合わせることで薬剤の撤布量を減少させ、環境負荷をより少なく抑えることができる。【０００４】  上記のような要望に対し、例えば、下記特許文献１では成形可能な樹脂中に防虫忌避剤を混合し、さらに所定の繊維状無機充填材を添加して樹脂成形体とし、これを所望の場所に設置する方法が開示されており、このような方法によれば、樹脂組成物の成形体内部に含まれる防虫忌避剤の成分が該繊維状無機充填材を介して徐々に成形体表面へと移行するという薬剤の徐放効果が得られ、小動物や虫に対して長期に亘って忌避作用を持続させ得るという効果が得られる。
【特許文献１】特開２０００−２１２００５号公報
【０００５】  上記の引用文献（特許文献１）に記載の発明によれば、樹脂成形体であることから形状を自由に設計することができ、害虫にとって進入・営巣し難い形状を具備させ、材料に混合した防虫忌避成分による効果と組み合わせることにより、害虫が前記対象物に進入・営巣することを防ぎ、結果、前記対象物である機器類の故障等のトラブルを防止することができる。このため、進入等し難い形状による物理的な防虫忌避効果が得られる分、防虫忌避成分の薬剤の使用量を減らすことができ、総合防除を実現した防虫忌避部材の提供が可能となる。【０００６】  また、前記引用文献（特許文献１）に記載の発明によれば、従来の防虫忌避対策用の樹脂製品に比べ、防虫忌避成分による化学的な防虫忌避効果の持続性を１０倍以上長くすることも可能となり、さらに害虫が進入し難い形状による物理的効果は半永久的であるため、該成形体を適用した製品を備えることにより、ほぼメンテナンスフリーで防虫忌避効果が得られる製品を実現することも可能となる。【０００７】  また、ナメクジやカタツムリ等のような軟体動物門腹足網動物が銅を忌避する性質を利用することで、軟体動物門腹足網動物から植物等を保護する軟体動物門腹足網動物防除部材も種々提案されている。具体的には、例えば、銅からなるテープ材をミカン等の果樹の幹に巻きつけることも提案されている。（例えば、特許文献２及び３参照）
【特許文献２】特開平２−９８０６号公報
【特許文献３】特開平１０−４５５１７号公報
【０００８】  そしてまた、植物が植えられている植木鉢やプランター等の下において忌避効果を発揮し、ナメクジの棲み家を排除し、前記植物の周りからナメクジを一掃することでナメクジによる被害の軽減を可能にする、ナメクジ忌避剤及び該ナメクジ忌避剤を用いるナメクジの忌避方法も提案されている。（例えば、特許文献４参照）。
【特許文献４】特開２００１−３０２４０６号公報
【発明の開示】
【発明が解決しようとする課題】
【０００９】  しかしながら、上記に開示した小動物や虫が進入し難い、いわゆる虫返し形状を有する防虫忌避性樹脂成形体の製品のうち、押出し成形品については長尺のものが多い。これらは屈曲しないため、嵩張って梱包や搬送がしづらく、保管の際にもスペースが必要になるという点が問題となっている。また、該成形品を梱包・搬送するためには適当な長さに切断しているのが実情である。このため、建物や各種機器等の対象物に該防虫忌避性樹脂成形体を取り付ける際には、切断した該成形体をつなぎ合わせて使用する必要がある。しかし、つなぎ合わせた部分に隙間が生じ、その隙間を経路として小動物や虫が進入する恐れがある。つまり、防虫忌避性樹脂成形体の押出し成形品については、使用の際は長いままであることが望ましいが、搬送や保管等の際にはできるだけ嵩を小さくしたいという要望がある。【００１０】  本発明は上記のような従来技術の問題点を解消するためになされたものであり、保護すべき対象物を、少ない薬剤使用で害虫などから長期にわたり効果的に防除することができると共に、梱包・搬送・設置のしやすい所望の形状に簡単に加工可能な防虫忌避性樹脂成形体を提供することを目的とする。
【課題を解決するための手段】
【００１１】  上記の目的を達成するため、本発明は、小動物や虫などから保護すべき対象物に取り付けられ、これらの小動物や虫を防除する防虫忌避性樹脂成形体であり、下記の特徴を備えている。【００１２】  本発明にかかる防虫忌避性樹脂成形体は、（請求項１に示すように）樹脂と防虫忌避性を有する薬剤を含有してなり、略板状の平面部と、該平面部の一端に連続形成された曲げ部分と、該防虫忌避性樹脂成形体の長手方向に対しほぼ交差する方向に屈曲可能な手段を備えている。【００１３】  前記の防虫忌避性樹脂成形体は、（請求項２に示すように）前記曲げ部分には、該防虫忌避性樹脂成形体の長手方向に対しほぼ交差する方向に１箇所または複数箇所の切り込みが、必要に応じて所望の数、適当な間隔で形成されている。【００１４】  前記の防虫忌避樹脂成形体は、（請求項３に示すように）可塑剤、無機充填材、皮膜抑制剤を含有してなるので、該防虫忌避成形体の樹脂表面に皮膜を形成し難い構成となる。【００１５】  前記の防虫忌避樹脂成形体は、（請求項４に示すように）略板状の平面部と、該平面部の一端に連続形成された曲げ部分を備えており、該曲げ部分は略半円状に弧を描くように湾曲して形成されている。【００１６】  前記の防虫忌避性樹脂成形体は、（請求項５に示すように）略板状の平面部と、該平面部の一端に連続形成された曲げ部分を備えており、該曲げ部分は該平面部に対し所望の角度をつけて一ヵ所または複数箇所を屈曲させて形成されている。【００１７】  前記の防虫忌避性樹脂成形体は、（請求項６に示すように）略板状の平面部と、該平面部の一端に連続形成された曲げ部分を備えており、該平面部と曲げ部分には１箇所または複数箇所の薄肉部分が形成されている。
【発明の効果】
【００１８】  本発明にかかる防虫忌避性樹脂成形体は、請求項１に示すように、樹脂と防虫忌避性を有する薬剤を含有してなり、略板状の平面部と、該平面部の一端に連続形成された曲げ部分を備えており、いわゆる「虫返し」の構成を備えているため、虫や軟体動物の両者を効率よく防除することができ、かつ、該防虫忌避性樹脂成形体の長手方向に対しほぼ交差する方向に屈曲可能な手段を備えているので、取り付け対象物の形状に合わせて該切り込み部分を屈曲させ、該取り付け対象物の外形に沿って隙間なく設置することが可能である。【００１９】  請求項１ないし２に示したように、前記の防虫忌避樹脂成形体は、前記曲げ部分には、該防虫忌避性樹脂成形体の長手方向に対しほぼ交差する方向に１箇所または複数箇所の切り込みが、必要に応じて所望の数、適当な間隔で形成されている。このような形状に形成されているため、該切り込み付近の平面部を、該防虫忌避性樹脂成形体の長手方向にほぼ交差する方向に屈曲させることができる。これにより、取り付け対象物の形状に合わせて該屈曲部分を屈曲させ、該取り付け対象物の形状に沿って隙間なく設置することが可能である。【００２０】  同様に、前記の防虫忌避樹脂成形体は、該防虫忌避性樹脂成形体の長手方向にほぼ交差する方向に屈曲させられるので、複数の屈曲部分をそれぞれ屈曲させ、ぐるぐると螺旋状に巻いた状態にすることができる。これにより、該防虫忌避性樹脂成形体をコンパクトにまとめて小さい箱などに収納することができるため、従来品のような防虫忌避性樹脂成形体を屈曲させず長尺をまっすぐに保ったままの状態に比べ、保存や搬送の際には長尺のままで、かつ比較的嵩を少なくして持ち運ぶことが可能であり、梱包・搬送が簡単になり、保管の際にも省スペースで済む。【００２１】  さらに、本発明の防虫忌避性樹脂成形体が長尺であっても、従来品のように梱包等の都合により一定の長さで切断してから搬送する必要もないため、対象物に取り付ける時に切断した物同士を貼りあわせずに済み、小動物や虫が進入してくる切断部分の隙間を生じさせずに済む。【００２２】  さらに、本発明にかかる防虫忌避性樹脂成形体は、請求項２に示すように、該切り込みを複数形成する場合、切り込みそれぞれの形成箇所の間隔を一定にしておくと、梱包時に、屈曲部分を屈曲させて収納する際、防虫忌避性樹脂成形体を、正方形や長四角形や三角形、六角形、八角形などのきれいな形の螺旋状に屈曲させてまとめることができ、収納したときの見た目が良いため、使用者の購買意欲をより喚起できる。【００２３】  前記の、本発明にかかる防虫忌避性樹脂成形体は、該成形体内部の防虫忌避成分の薬剤が徐々に該成形体の表面に滲出することにより防虫忌避効果を発揮する。従来からある防虫忌避性樹脂成形体は、該成形体の表面が紫外線の照射や高温環境、水等にさらされると表面に皮膜が形成される。この皮膜が形成されてしまうと、防虫忌避成分が該成形体の表面に滲出しづらくなり、使用開始時と比べて防虫忌避の効果が落ちてしまうという問題があったのだが、本発明にかかる防虫忌避性樹脂成形体は、請求項３に示したように、可塑剤、無機充填材、皮膜抑制剤を含有してなるが、皮膜抑制剤として樹脂表面における皮膜形成を抑制しうる効能のあるものを選択すると、屋外環境や高温環境下、又は水等に晒される状況で使用された場合にも、該防虫忌避性樹脂成形体の表面に皮膜が形成されにくくなる。よって、該防虫忌避性樹脂成形体内部に含まれる防虫忌避成分の該成形体表面への移行が阻害され難くなるため、内部の防虫忌避成分が該防虫忌避性樹脂成形体から徐放される作用が長期間にわたって続く。したがって、長期間にわたり防虫忌避効果が続き、本発明の防虫忌避性樹脂成形体を使用し続けることができ、取替え等のメンテナンスの手間やコストを大幅に削減することが可能となる。【００２４】  請求項４に記載したように、前記の防虫忌避性樹脂成形体は、略板状の平面部と、該平面部の一端に連続形成された曲げ部分を備えており、該曲げ部分は略半円状に弧を描くように湾曲して形成されている。これはいわゆる「虫返し」の構成を備えているため、虫や小動物、軟体動物の進入経路を強制的に変更できるため、（害虫は対象物から該防虫忌避性樹脂成形体の平面部を通過してゆき、該曲げ部分で進路変更となる）虫や小動物を効率よく防除することができ、なおかつ、薬剤の防虫忌避効果だけに頼らないので、本発明の防虫忌避性樹脂成形体に使用する防虫忌避性分をより少なく抑えることが可能であり、環境への影響を少なくすることができる。【００２５】  請求項５に記載したように、前記の防虫忌避性樹脂成形体は、略板状の平面部と、該平面部の一端に連続形成された曲げ部分を備えており、該曲げ部分は該平面部に対し所望の角度をつけて一ヵ所または複数箇所を屈曲させて形成されている。これは（上記と同様に）いわゆる「虫返し」の構成を備えているため、虫や小動物、軟体動物の進入経路を強制的に変更できるため、（対象物から該防虫忌避性樹脂成形体の平面部を通過し、該曲げ部分で進路変更となる）虫や小動物を効率よく防除することができ、なおかつ、薬剤の防虫忌避効果だけに頼らないので、本発明の防虫忌避性樹脂成形体に使用する防虫忌避性分をより少なく抑えることが可能であり、環境への影響をなるべく少なくすることができる。【００２６】  請求項６に記載したように、前記の防虫忌避性樹脂成形体は、略板状の平面部と、該平面部の一端に連続形成された曲げ部分を備えており、該平面部と曲げ部分には１箇所または複数箇所、断面を薄肉状に形成された部分が形成されている。この薄肉部分は該防虫忌避性樹脂成形体のいずれの部分にも形成可能であり、該防虫忌避性樹脂成形体を任意の方向へ屈曲させることが可能である。これにより、上記に記載したように、取り付け対象物の形状に合わせて該薄肉部分を屈曲させ、該取り付け対象物の形状に沿って隙間なく設置することが可能である。さらに、この薄肉部分をそれぞれ屈曲させ、ぐるぐると螺旋状に巻いた状態にすることができる。これにより、該防虫忌避性樹脂成形体は長尺のままの状態に比べコンパクトにまとめることができるので、梱包・搬送が簡単になり、保管の際にも省スペースで済む。
【発明を実施するための最良の形態】
【００２７】  図１は本発明に係る防虫忌避性樹脂成形体１の実施形態の一例（第１実施例）を示す斜視図である。この防虫忌避性樹脂成形体１は略板状の平面部３と、該平面部３の一端に連続形成された曲げ部分２を備えている。本実施形態では該曲げ部分２は略半円状に弧を描くように湾曲して形成されており、側面視で略Ｊ字状を呈している。【００２８】  図２は本発明に係る防虫忌避性樹脂成形体１の実施形態の、他の一例（第２実施例）を示す斜視図である。この防虫忌避性樹脂成形体１は略板状の平面部３と、該平面部３の一端に連続形成された曲げ部分２を備えている。本実施形態では該曲げ部分２は、平面部３に対し所望の角度をつけて屈曲させて形成されている。本実施形態では、防虫忌避性樹脂成形体１は、側面視で略Ｌ字状を呈している。【００２９】  図３は本発明に係る防虫忌避性樹脂成形体１の実施形態の、また別の一例（第３実施例）を示す斜視図である。この防虫忌避性樹脂成形体１は、略板状の平面部３と、該平面部３の一端に連続形成された曲げ部分２を備えている。本実施形態では該曲げ部分２は、平面部３に対し所望の角度をつけて屈曲させて形成されていて、さらに、該曲げ部分２の一端には該曲げ部分２から連続形成された曲げ部分４が形成されており、曲げ部分４は曲げ部分２に対し所望の角度をつけて屈曲させて形成されている。本実施形態では、防虫忌避性樹脂成形体１は、側面視で略コの字状を呈している。【００３０】  上記の防虫忌避性樹脂成形体１の各実施例は、平面部３を、例えば両面テープ、各種接着剤、螺子や釘、スナップフィット形状に成形する等の固定方法により対象物７に固定することで、対象物７に取り付けることができる（図８、図９参照）。【００３１】  前記防虫忌避性樹脂成形体１の各実施例の曲げ部分２は、対象物７に対する小動物や虫（以下害虫とする）の侵入経路を強制的に変更し、当該侵入経路に沿って前進する害虫を落下させる、もしくは害虫の前進を停止させるもの（侵入経路変更部）である。【００３２】  図４は図１に示した前記の防虫忌避性樹脂成形体１の第１実施例を示す部分拡大図、
図５は図２に示した前記の防虫忌避性樹脂成形体１の第２実施例を示す部分拡大図、
図６は図３に示した前記の防虫忌避性樹脂成形体１の第３実施例を示す部分拡大図である。
これらの図に示した防虫忌避性樹脂成形体１の曲げ部分２には、１箇所もしくは複数箇所の任意の部分に切り込み５が形成されている。防虫忌避性樹脂成形体１は、切り込み５付近の平面部３を屈曲部６で所望の角度に屈曲させることができる。
該切り込み５は必要に応じて所望の数を、適当な間隔で形成すれば良い。該切り込み５を複数形成する場合、切り込み５それぞれの形成箇所の間隔を一定にしておくと、梱包時に、屈曲部６部分を屈曲させて収納する際、防虫忌避性樹脂成形体１を、正方形や長四角形や三角形、六角形、八角形などのきれいな形に屈曲させてまとめることができ、収納するときの見た目が良い。【００３３】  図７は図１に示した前記の防虫忌避性樹脂成形体１の使用状態を示す図である。前記したとおり、防虫忌避性樹脂成形体１は切り込み５付近の平面部３を屈曲部６で所望の角度に屈曲させることができるので、複数の屈曲部６をそれぞれ適当な角度で曲げれば、図７に示すように螺旋状に巻いた状態にしておける。図２、図３に示した実施例でも同じように螺旋状に巻いた状態にしておくことが可能である。【００３４】  また同様に、前記の防虫忌避性樹脂成形体１は屈曲部６で所望の角度に屈曲させることができるので、図８に示すように、建物や各種機器のハウジング等の対象物に該防虫忌避性樹脂成形体１を取り付ける場合、対象物の角に合わせて屈曲部６を屈曲させて、該防虫忌避性樹脂成形体１と対象物の間に隙間なく連続して防虫忌避性樹脂成形体１の平面部を取り付けることが可能である。【００３５】  また同様に、前記の防虫忌避性樹脂成形体１は屈曲部６で所望の角度に屈曲させることができる。よって、図９に示すように、樹木や電柱などの略円筒形の対象物９に該防虫忌避性樹脂成形体１を取り付ける場合、対象物の外周側面の曲面に合わせて屈曲部６を屈曲させ、対象物９の外周を螺旋状に連続して取り囲んで、該防虫忌避性樹脂成形体１を取り付けることが可能である。該屈曲部６と切り込み５は、任意の間隔で防虫忌避性樹脂成形体１に形成しておくことができるので、図９に示すような、筒状の対象物９に巻きつける等の使用方法をとりたい場合、対象物９の外周の曲面に合わせて切り込み５と屈曲部６を形成しておくと、より望ましい状態にて、対象物９に防虫忌避性樹脂成形体１を取り付けておくことが可能になる。【００３６】  前記したとおり、前記切り込み５は、任意の間隔で防虫忌避性樹脂成形体１に形成できるので、図７に示すように螺旋状にとぐろを巻いた状態にして保管したい場合も、保管場所のスペースに合わせて、狭い場所に保管する場合は、切り込み５の箇所を短い間隔に多数形成しそれぞれの屈曲部６を屈曲させて、小さく巻き取った状態にすることも可能である。【００３７】  また、本発明の防虫忌避性樹脂成形体１の各実施例には、ナメクジ等の小動物が嫌う銅製の部材を、例えば両面テープ、各種接着剤、螺子や釘等の固定方法により配設することも可能である。これにより、上記の害虫を防除する効果の他に、ナメクジや蝸牛等の小動物を防除することができ、なおかつ薬剤の防虫忌避効果だけに頼らないので、本発明の防虫忌避性樹脂成形体に使用する防虫忌避性分をより少なく抑えることが可能であり、環境への影響をなるべく少なくすることができる。また、該防虫忌避性樹脂成形体をスナップフィット形状に成形し、銅製の部材をワンタッチで嵌め込むことができるようにしておくと、製造コストを低く抑えることができる。【００３８】  前記、本発明の実施の形態に係る防虫忌避性樹脂成形体１の材料は、基本的には、樹脂と防虫忌避剤とを含有して構成されていればよいが、可塑剤、無機充填材、添加剤の少なくとも１種を樹脂及び防虫忌避剤に加え、これらを混練して所望の形状に成形してもよい。【００３９】  前記の防虫忌避性樹脂成形体１に含有される樹脂は、特に限定されるものではなく、例えば、ポリアミド樹脂、ポリアセタール樹脂、ポリエチレン樹脂（ＰＥ）、ポリプロピレン樹脂（ＰＰ）、ポリスチレン系樹脂（ＰＳ）、ポリエチレンテレフタレート樹脂（ＰＥＴ）、ポリブチレンテレフタレート樹脂（ＰＢＴ）、ポリカーボネート樹脂（ＰＣ）、ポレアリレート樹脂、ポリフェニレンエーテル樹脂、熱可塑性ポリウレタン樹脂、液晶性ポリエステル樹脂、アクリロニトリル・ブタジエン・スチレン共重合体（ＡＢＳ樹脂）、塩化ビニル樹脂（ＰＶＣ）、ポリフェニレンオキシド樹脂（ＰＰＯ）、ポリカプロラクトン樹脂（ＰＣＬ）、ポリブチレンサクシネート樹脂（ＰＢＳ）、ポリブチレンサクシネートアジペート樹脂（ＰＢＳＡ）、エチレン・酢酸ビニル共重合樹脂（ＥＶＡ）、エチレン・アクリル酸エチル共重合樹脂（ＥＥＡ）、の何れか１種を単独で、またはこれらから選ばれた２種以上の混合物、及びこれらの樹脂にエラストマーを混合した熱可塑性エラストマーの少なくとも１種を選択することができる。【００４０】  ポリアミド樹脂の具体例としては、ポリアミド６、ポリアミド６６、ポリアミド１１、ポリアミド１２樹脂等のポリアミド樹脂、ポリアミドＭＸＤ、ポリアミド６Ｔ樹脂等の芳香族ポリアミド樹脂を例示できる。【００４１】  ポリアセタール樹脂の具体例としては、オキシメチレン単位のみからなる単独重合体の他、オキシメチレン単位を主成分とし、これに副成分としてオキシエチレン単位等の他の共重合単位を含む共重合体、これらを架橋させてなる架橋重合体、またはグラフト共重合させてなるグラフト共重合体を例示できる。【００４２】  ポリエチレン樹脂の具体例としては、高密度ポリエチレン、低密度ポリエチレン、超低密度ポリエチレン、直鎖状低密度ポリエチレンを例示できる。【００４３】  ポリプロピレン樹脂の具体例としては、ポリプロピレンのホモポリマー、及びエチレンとプロピレンのランダム共重合体やブロック共重合体を例示できる。【００４４】  ポリスチレン系樹脂の具体例としては、例えばスチレン単独重合体やスチレンを主成分とするスチレン−アクリル酸共重合体、スチレン−アクリル酸メチル共重合体、スチレン−アクリル酸エチル共重合体、スチレン−メタクリル酸共重合体、スチレン−メタクリル酸メチル共重合体、スチレン−メタクリル酸エチル共重合体、スチレン−無水マレイン酸共重合体、スチレン−ポリフェニレンエーテル共重合体、スチレン−ブタジエン共重合体、スチレン−アクリロニトリル共重合体、アクリロニトリル−ブタジエン−スチレン共重合体、スチレン−メチルスチレン共重合体、スチレン−ジメチルスチレン共重合体、スチレン−エチルスチレン共重合体、スチレン−ジエチルスチレン共重合体等を例示できる。
上記スチレン系共重合体におけるスチレン成分含有量は５０モル％以上が好ましく、特に好ましくは８０モル％以上である。【００４５】  ポリエチレンテレフタレート樹脂としては、テレフタル酸を主成分に、エチレングリコールをグリコール成分に用いて重縮合した重合体を使用することができ、この他に酸成分として、イソフタル酸、ナフタレンジカルボン酸、アジピン酸、セバシン酸、ドデカンジ酸、シュウ酸などを、グリコール成分として、プロピレングリコール、１，４−ブタンジオール、ネオペンチルグリコール、シクロヘキサンジメタノール、シクロヘキサンジオールなど、あるいは分子量４００〜６０００の長鎖グリコール、すなわちポリエチレングリコール、ポリ−１，３プロピレングリコール、ポリテトラメチレングリコールなどを２０モル％以下共重合したものを使用することもできる。【００４６】  ポリブチレンテレフタレート樹脂としては、テレフタル酸単位および１，４−ブタンジオール単位がエステル結合した構造を有し、ジカルボン酸単位の５０モル％以上がテレフタル酸単位から成り、ジオール成分の５０モル％以上が１，４ブタンジオール単位から成る高分子を好適に使用することができる。
テレフタル酸単位または１，４ブタンジオール単位が少なすぎると、例えば５０モル％より少ないと、ＰＢＴ樹脂の結晶化速度が低下し、得られるポリブチレンテレフタレート樹脂の成形性が低下する場合がある。よって全ジカルボン酸単位中のテレフタル酸単位の割合は、通常７０モル％以上、中でも８０モル％以上、更には９５モル％以上、特に９８モル％以上であることが好ましく、また全ジオール単位中の１，４ブタンジオール単位の割合は、通常７０モル％以上、中でも８０モル％、更には９５モル％以上、特に９８モル％以上であることが好ましい。【００４７】  前記のポリブチレンテレフタレート樹脂の原料である、ジカルボン酸成分に於いては、テレフタル酸以外のジカルボン酸成分としては特に制限はない。具体的には例えば、フタル酸、イソフタル酸、４，４−ジフェニルジカルボン酸、４，４−ジフェニルエーテルジカルボン酸、４，４−ベンゾフェノンジカルボン酸、４，４−ジフェノキシエタンジカルボン酸、４，４−ジフェニルスルホンジカルボン酸、２，６−ナフタレンジカルボン酸などの芳香族ジカルボン酸類；１，２−シクロヘキサンジカルボン酸、１，３−シクロヘキサジカルボン酸、１，４−シクロヘキサジカルボン酸などの脂環式ジカルボン酸類；マロン酸、コハク酸、グルタル酸、アジピン酸、ピメリン酸、スベリン酸、アゼライン酸、セバシン酸などの脂肪族ジカルボン酸類；等が挙げられる。これらのジカルボン酸ハライド等のジカルボン酸誘導体を原料として、ポリマー骨格に導入できる。【００４８】  また、前記ポリブチレンテレフタレート樹脂の原料である、ジオール成分に於いては、１，４ブタンジオール以外のジオール成分としては特に制限はない。具体的には例えば、エチレングリコール、ジエチレングリコール、ポリエチレングリコール１，２プロパンジオール、１，３−プロパンジオール、ポリプロピレングリコール、ポリテトラメチレングリコール、ジブチレングリコール、１，５−ペンタンジオール、ネオペンチルグリコール、１，６−ヘキサンジオール、１，８−オクタンジオール等の脂肪族ジオール類；１，２−シクロヘキサンジオール、１，４−シクロヘキサンジオール、１，１−シクロヘキサンジメチロール、１，４シクロヘキサンジメチロール等の脂環式ジオール類；キシリレングリコール、４，４’−ジヒドロキシビフェニル、２，２−ビス（４−ヒドロキシフェニル）プロパン、ビス（４−ヒドロキシフェニル）スルホン等の芳香族ジオール類；等が挙げられる。【００４９】  更に、前記ポリブチレンテレフタレート樹脂としては、従来公知の任意のモノマー単位を教重合させたものでもよい。このモノマー成分としては、具体的には例えば、乳酸、グリコール酸、ｍ−ヒドロキシ安息香酸、ｐ−ヒドロキシ安息香酸、６−ヒドロキシ−２−ナフタレンカルボン酸、Ｐ―β―ヒトロキシエトキシ安息香酸等のヒドロキシカルボン酸類；アルコキシカルボン酸、ステアリルアルコール、ベンジルアルコール、ステアリン酸、安息香酸、ｔ−ブチル安息香酸、ベンゾイル安息香酸等の単官能成分；トリカルバリル酸、トリメリット酸、トリメシン酸、ピロメリット酸、没食子酸、トリメチロールエタン、トリメチロールプロパン、グリセロール、���ンタエリスリトール等の三官能以上の多官能成分；等が挙げられる。【００５０】  ポリカーボネート樹脂としては、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体を例示することができ、代表的なものとしては２，２−ビス（４−ヒドロキシフェニル）プロパン（通称ビスフェノールＡ）から製造されたポリカーボネート樹脂が挙げられる。【００５１】  前記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５ジブロモフェニル）プロパン、２，２−ビス（４−ヒドロキシ−３，５ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４’−ジヒドロキシジフェニルエーテル、４，４’−ジヒドロキシ−３，３’−ジメチルジフェニルエーテルのようなジヒドロキシジアリールエーテル類、４，４’−ジヒドロキシジフェニルスルフィドのようなジヒドロキシジアリールスルフィド類、４，４’−ジヒドロキシジフェニルスルホキシド、４，４’−ジヒドｒキシー３，３’−ジメチルジフェニルスルホキシドのようなジヒドロキシジアリールスルホキシド類、４，４’−ジヒドロキシジフェニルスルホン、４，４’−ジヒドロキシ−３，３’−ジメチルジフェニルスルホンのようなジヒドロシキジアリールスルホン類等が挙げられる。これらは単独または２種類以上混合して使用されるが、これらの他に、ピペラジン、ジピペリジルハイドロキノン、レゾルシン、４，４’−ジヒドロキシジフェニル等を混合して使用してもよい。【００５２】  さらに、前記ジヒドロキシアリール化合物と以下に示すような３価以上のフェノール化合物を混合使用してもよい。
３価以上のフェノールとしては、フロログルシン、４，６―ジメチル―２，４，６−トリ−（４−ヒドロキシフェニル）−ヘプテン、２，４，６−ジメチル−２，４，６−トリ−（４−ヒドロキシフェニル）−ヘプタン、１，３，５トリ−（４−ヒドロキシフェニル）−ベンゾール、１，１，１―トリ―（４−ヒドロキシフェニル）−エタンおよび２，２―ビス―〔４，４−（４，４’−ジヒドロキシジフェニル）−シクロヘキシル〕−プロパンなどが挙げられる。【００５３】  前記ポリカーボネート樹脂の粘度平均分子量は特に制限はないが、成形加工性、強度の面より通常１００００〜１０００００、より好ましくは１５０００〜３００００、さらに好ましくは１７０００〜２６０００である。また、かかるポリカーボネート樹脂を製造するに際し、分子量調整剤、触媒等を必要に応じて使用することができる。【００５４】  ポリアリレート樹脂としては、芳香族ジカルボン酸残基とビスフェノール残基を繰り返し単位とする樹脂を使用することができる。
ビスフェノール残基を導入するためのポリアリレート原料はビスフェノール類であり、その具体例として、例えば２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジブロモフェニル）プロパン、２，２−ビス（４−ヒドロキシ−３，５−ジクロロフェニル）プロパン、４，４’−ジヒドロキシジフェニルスルホン、４，４’−ジヒドロキシジフェニルエーテル、４，４’−ジヒドロキシジフェニルスルフィド、４，４’−ジヒドロキシジフェニルケトン、４、４’−ジヒドロキシジフェニルメタン、１，１，２−ビス（４−ヒドロキシフェニル）シクロヘキサン等が挙げられる。これらの化合物は、単独で使用してもよいし、あるいは、２種類以上を混合して使用してもよい。とりわけ、２，２−ビス（４−ヒドロキシフェニル）プロパンが経済的に好ましく、当該化合物を単独で使用することが最適である。【００５５】  一方、前記ポリアリレート樹脂に、芳香族ジカルボン酸残基を導入するための原料としては、テレフタル酸、イソフタル酸、オルソフタル酸、１，５−ナフタレンジカルボン酸、２，６−ナフタレンジカルボン酸、ジフェン酸、４，４’−ジカルボキシフェニルエーテル、ビス（ｐ−カルボキシフェニル）アルカン、４，４’−ジカルボキシフェニルスルホン等が挙げられ、なかでもテレフタル酸、イソフタル酸が好ましい。本発明においては両者を混合使用して得られるポリアリレート樹脂組成物が、溶融加工性、および機械的特性の面で特に好ましい。その混合比率（テレフタル酸／イソフタル酸）は任意に選択することができるが、モル分率で９０／１０〜１０／９０の範囲であることが好ましく、より好ましくは７０／３０〜３０／７０、最適には５０／５０である。テレフタル酸の混合モル分率１０モル％未満であっても、９０モル％を超えていても界面重合法では十分な重合度を得にくくなる場合がある。
ポリアリレート樹脂は機械的特性と流動性の観点から、極限粘度が０．４〜１．０、好ましくは０．４〜０．８、より好ましくは０．５〜０．７であることが望ましい。【００５６】  また、前記防虫忌避性樹脂成形体１に含有される防虫忌避剤としては、各種の農業害虫、衛生害虫その他の昆虫類、蜘蛛類、ダニ類、鼠等の小動物の防除活性を有する薬剤であり、小動物忌避活性を有する化合物、殺虫活性、殺ダニ活性、殺蜘蛛活性もしくは殺鼠活性等の殺小動物活性を有する化合物、小動物の摂食障害活性を有する化合物、小動物の成長コントロール活性を有する化合物等を例示できる。【００５７】  このような防虫忌避剤の具体例としては、イミダクロプリドのようなクロロニコチニル系殺虫剤、シラフルオフェミンのようなケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、ｄｌ，ｄ−Ｔ８０−アレスリン、ｄ−Ｔ８０−レスメトリン、バイオアレスリン、ｄ−Ｔ８０−フタルスリン、フタルスリン、レスメトリン、フラメトリン、プロパスリン、ベルメトリン、アクリナトリン、エトフェンプロックス、トラロメトリン、フェノトリン、ｄ−フェノトリン、フェンバレレート、エンペントリン、プラレトリン、テフルスリン、ベンフルスリン等のピレスロイド系化合物、ジクロロボス、フェニトロチオン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。また、メトプレン、ピリプロキシフェン、キノプレン、ハイドロプレン、デオヘノラン、ＮＣ−１７０、フルフェノロクスロン、ジフルベンズロン、ルフェヌロン、クロルアズロン等の小動物の成長をコントロールする活性を有する化合物が挙げられる。また、殺ダニ剤としてケルセン、クロルフェナビル、テブフェンピラドピリダベン、ミルベメクチン、フェンピロキシメート、殺鼠剤としてはシリロシド、ノルボマイド、燐化亜鉛、硫酸タリウム、黄燐、アンツー、ワルファリン、エンドサイド、クマリン、クマテトラリン、プロマジオロン、ディフェチアロン等が挙げられる。さらに、タイワンヒノキ、アスナロ、ヒノキアスナロ（青森ヒバ）等に含まれるヒノキチオールや、ハーブ類や、ヒノキに含まれるカジノール誘導体（αカジノール、Ｔ−カジノール）や、クローブ、ナツメグ、コリアンダー、クミン等の香油植物に多く含まれるゲラニオール、ピネン、カリオフィレン、ボルネオール、オイゲノール等の天然由来の薬剤も使用することができる。【００５８】  可塑剤としては、前記樹脂に対して可塑性能を付与し得るものであれば特に限定されるものではないが、例えば、スルホンアミド誘導体、スルホン酸エステル誘導体、カルボン酸アミド誘導体、カルボン酸エステル誘導体より選ばれる少なくとも１種の化合物が好ましく、これらは、防虫忌避成分を溶解保持し、徐放性���付与する作用を有する物と考えられる。このような可塑剤のうち、カルボン酸エステル誘導体としては、水酸基、ニトロ基、アミノ基、エポキシ基、ハロゲン等で置換されてもよい各種カルボン酸のアルキルエステル、芳香族エステル等を例示でき、水酸基やエポキシ基を有するものはポリアミドとの相溶性が良好であるため好ましい。【００５９】  なお、可塑剤の中には、防虫忌避剤が含有する防虫忌避成分を徐々に放出させるための徐放性を付与する作用を有するものがあり、このような可塑剤を添加することで、薬理的な防虫忌避効果を長期間にわたって発揮させることができる。【００６０】  無機充填材としては、粒子状無機充填材、繊維状無機充填材、或いは鱗片状無機充填材を使用することができる。【００６１】  粒子状無機充填材としては、チタン酸カリウム粒子、チタニア粒子、単斜晶系チタニア粒子、シリカ粒子等を例示でき、これらを単独で又は混合して用いることができる。該粒子状無機充填材の中では、チタン酸カリウム粒子が特に好ましい。【００６２】  また、繊維状無機充填材としては、例えば、平均繊維径０．０５〜１０μｍ、平均繊維長３〜１５０μｍ、好ましくは、平均繊維径０．１〜７μｍ、平均繊維長５〜５０μｍの形状を有する繊維状無機充填材を好適に使用することができ、該繊維状無機充填材としては、例えば４チタン酸カリウム繊維、６チタン酸カリウム繊維、８チタン酸カリウム繊維、チタニア繊維、単斜晶系チタニア繊維、シリカ繊維、ワラストナイト、ゾノトライト等を例示でき、これらを単独で又は混合して用いることができる。これらの繊維状無機充填材の中では、８チタン酸カリウム繊維が特に好ましい。【００６３】  また、鱗片状無機充填材としては、チタン酸カリウム、チタン酸カリウムリチウム、チタン酸カリウムマグネシウム、タルク、合成マイカ、天然マイカ、セリサイト、板状アルミナ、窒化ホウ素等を例示でき、これらを単独で又は混合して用いることができる。該鱗片状無機充填材の中では、チタン酸カリウムが特に好ましい。【００６４】  無機充填材は、そのままでも使用し得るが、樹脂との界面接着性を向上させ機械的物性を一層向上させるために、アミノシラン、エポキシシラン、アクリルシラン等のシランカップリング剤またはチタネートカップリング剤等の表面処理剤で表面処理して用いてもおい。【００６５】  また、本発明の防虫忌避性樹脂成形体１には、本発明の目的を損なわない範囲で、ゼオライト、炭酸カルシウム、リン酸カルシウム、珪酸マグネシウム、珪酸アルミニウム、酸化チタン、チタン酸カリウム、珪酸カルシウム、酸化亜鉛、ホウ酸アルミニウム、アルミナ（酸化アルミニウム）等の無機充填材を併用することもできる。【００６６】  また、無機充填材の中には防虫忌避成分を徐々に放出させるための徐放性を付与する作用を有するものがあり、このような無機充填材を添加することで、薬理的な防虫忌避効果を長期間にわたって発揮させることが期待できる。また、無機充填材の配合は機械的物性の向上にも寄与し得るものとなる。【００６７】  また、防虫忌避性樹脂成形体１には、樹脂表面における皮膜形成を抑制し得る皮膜抑制剤を含有させることができる。このような皮膜抑制剤としては、例えば��ヒンダードフェノール系酸化防止剤、リン系酸化防止剤、紫外線吸収性光安定剤、ヒンダードアミン系光安定剤、及びカーボンからなる群より選択される１種または２種以上を挙げることができる。【００６８】  前記のヒンダードフェノール系酸化防止剤としては、ペンタエリスリトールテトラキス［３−（３，５−ジ―ｔｅｒｔ−ブチル―４―ヒドロキシフェニルプロピオネート）、Ｎ、Ｎ’−ヘキサン―１，６―ジイルビス［３−（３，５―ジ―ｔｅｒｔ−ブチル―４―ヒドロキシフェニルプロピオンアミド）］、ビス−［３，３−ビス−（４’−ハイドロキシ−３’−ｔｅｒｔ−ブチルフェニル）−ブタノイックアシッド］−グリコールエステル、トリス（３，５−ジ―ｔｅｒｔ−ブチル―４―ヒドロキシベンジル）イソシアヌレート、チオジエチレンビス［３−（３，５−ジ―ｔｅｒｔ−ブチル―４―ヒドロキシフェニル）プロピオネート］、オクタデシル―３―（３，５−ジ―ｔｅｒｔ−ブチル―４―ヒドロキシフェニル）プロピオネート、３，３′，３”、５，５’、５”―ヘキサ―ｔｅｒｔ−ブチル−ａ，ａ’，ａ’’−（メチレン−２，４，６−トリイル）トリ―ｐ―クレゾール、ヘキサメチレンビス［３−（３，５−ジ―ｔｅｒｔ−ブチル―４―ヒドロキシフェニル）プロピオネート］テトラキス［メチレン―３―（３，５−ジ―ｔｅｒｔ−ブチル―４―ヒドロキシフェニル）プロピオネート］メタン、メチレン―３―（３，５−ジ―ｔｅｒｔ−ブチル―４―ヒドロキシフェニル）プロピオネート等のヒンダードフェノール系酸化防止剤を挙げることができる。【００６９】  前記の、リン系酸化防止剤としては、トリス（２，４−ジ−ｔｅｒｔ−ブチルフェニル）フォスファイト、トリス［２−［［２，４，８，１０−テトラ−ｔｅｒｔ−ブチルベンゾ［ｄ，ｆ］［１，３，２］ジオキサフォスフェフィン―６―イル］オキシ］エチル］アミン、テトラキス（２，４−ジ−ｔｅｒｔ−ブチルフェニル［１，１−ビフェニル］−４，４’−ジイルビスホスフォナイト、ジステアリルペンタエリスリトールジホスファイト、ビス（２，４―ジ―ｔｅｒｔ−ブチルフェニル）ペンタエリスリトールホスファイト、ビス（２，４―ジ―ｔｅｒｔ−ブチルフェニル）ペンタエリスリトールジフォスファイト等のリン系酸化防止剤を挙げることができる。【００７０】  紫外線吸収剤としては、２−（２Ｈ−ベンゾトリアゾール―２―イル）―４，６―ビス（１−メチル−１−フェニルエチル）フェノール、２−（２Ｈ−ベンゾトリアゾール―２―イル）−４，６―ジ―ｔｅｒｔ−ペンチルフェノール、プロパンジオックアシッド、［（４−メトキシフェニル）−メチレン］−ジメチルエステル等の紫外線吸収剤を挙げることができる。【００７１】  ヒンダードアミン系光安定剤としては、Ｎ，Ｎ’，Ｎ’’，Ｎ’’’−テトラキス−（４，６―ビス―（ブチル−（Ｎメチル−２，２，６，６―テトラメチルピペリジン―４−イル）アミノ）―トリアジン―２−イル）−４，７−ジアザデカン−１，１０−ジアミン、ポリ［（６−（１，１，３，３−テトラメチルブチル）アミノ−１，３，５―トリアジン―２，４−ジイル）（２，２，６，６―テトラメチル―４−ピペリジル）イミノ］ヘキサメチレン（（２，２，６，６−テトラメチル―４―ピペリジル）イミノ））、ビス（２，２，６，６―テトラメチル―４−ピペリジル）セバケート、２，２，４，４―テトラメチル―７−オキサ−３，２０−ジアザ−ジスピロ−［５．１．１１．２］―ヘンエイコサン―２１−オン、プロパン二酸、［（４―メトキシフェニル）―メチレン］−、ビス（１，２，２，６，６―ペンタメチル―４−ピペリジニル）エステル、１，３―ベンゼルジカルボキシアミド、Ｎ，Ｎ−ビス（２，２，６，６―テトラメチル―４−ピペリジニル）、２−エチル，２’―エトキシ―オキサラニリド等のヒンダードアミン系光安定剤を挙げることができる。【００７２】  なお、皮膜抑制剤は、これらを単独でまたは混合して用いることができる。中でも、ベースレジンとの相溶性と皮膜形成の阻害性に優れるという観点から、ペンタエリスリトールテトラキス［３−（３，５−ジ―ｔｅｒｔ―ブチル―４―ヒドロキシフェニル）プロピオネート］、Ｎ、Ｎ’―ヘキサン―１，６ジイルビス［３−（３，５−ジ―ｔｅｒｔ―ブチル―４―ヒドロキシフェニルプロピオンアミド）］、トリス（３，５−ジ―ｔｅｒｔ―ブチル―４―ヒドロキシベンジル）イソシアヌレート、トリス（２，４−ジ―ｔｅｒｔ―ブチルフェニル）フォスファイト、テトラキス（２，４−ジ―ｔｅｒｔ―ブチルフェニル）［１，１―ビフェニル］―４，４’―ジイルビスホスフォナイト、ビス（２，４−ジ―ｔｅｒｔ―ブチルフェニル）ペンタエリスリトールホスファイト、２−（２Ｈ−ベンゾトリアゾール―２―イル）―４，６―ビス（１−メチル−１−フェニルエチル）フェノール、２−エチル，２’−エトキシ−オキサラニリド、Ｎ，Ｎ’，Ｎ’’，Ｎ’’’―テトラキス―（４，６―ビス―（ブチル−（Ｎメチル−２，２，６，６―テトラメチルピペリジン―４−イル）アミノ）−トリアジン―２―イル）―４，７―ジアザデカン―１，１０―ジアミン、ポリ［（６−（１，１，３，３−テトラメチルブチル）アミノ−１，３，５−トリアジン―２，４−ジイル）（２，２，６，６−テトラメチル−４−ピペリジル）イミノ］ヘキサメチレン（（２，２，６，６−テトラメチル―４―ピペリジル）イミノ））、１，３―ベンゼンジカルボキシアミド、Ｎ，Ｎ’ビス（２，２，６，６―テトラメチル―４―ピペリジニル）を好適に使用できる。
【図面の簡単な説明】
【００７３】
【図１】本発明の実施形態にかかる防虫忌避性樹脂成形体１を示す斜視図である。
【図２】本発明の他の実施形態（第２実施例）にかかる防虫忌避性樹脂成形体１を示す斜視図である。
【図３】本発明の他の実施形態（第３実施例）にかかる防虫忌避性樹脂成形体１を示す斜視図である。
【図４】図１に示した本発明の実施形態にかかる防虫忌避性樹脂成形体１の部分拡大図である。
【図５】図２に示した本発明の他の実施形態にかかる防虫忌避性樹脂成形体１の部分拡大図である。
【図６】図３に示した本発明の他の実施形態にかかる防虫忌避性樹脂成形体１の部分拡大図である。
【図７】図１に示した本発明の実施形態にかかる防虫忌避性樹脂成形体１の図である。
【図８】図１に示した本発明の実施形態にかかる防虫忌避性樹脂成形体１の使用状態を示す図である。
【図９】図１に示した本発明の実施形態にかかる防虫忌避性樹脂成形体１のその他の使用状態を示す図である。
【符号の説明】
【００７４】１  防虫忌避性樹脂成形体
２  曲げ部分
３  平面部
４  曲げ部分
５  切り込み
６  屈曲部
７  対象物
９  対象物
【図１】
2010013614.tif 000003
【図２】
2010013614.tif 000004
【図３】
2010013614.tif 000005
【図４】
2010013614.tif 000006
【図５】
2010013614.tif 000007
【図６】
2010013614.tif 000008
【図７】
2010013614.tif 000009
【図８】
2010013614.tif 000010
【図９】
2010013614.tif 000011